(57)【特許請求の範囲】
【請求項１】
受信した変調信号を増幅する可変ゲイン増幅装置と、
前記可変ゲイン増幅装置に対して縦続接続され、前記変調信号の低域成分を除去する高域通過フィルタと、
前記高域通過フィルタの出力電圧を基準電圧に固定するスイッチと、
前記可変ゲイン増幅装置および前記高域通過フィルタの縦続接続回路に対して縦続接続され、遮断周波数を変化させることが可能で、前記変調信号の高域成分を除去する低域通過フィルタと、
前記可変ゲイン増幅装置、前記高域通過フィルタおよび前記低域通過フィルタを通った変調信号の大きさを変化させるために前記可変ゲイン増幅装置のゲインを変化させるゲイン制御装置とを備え、
前記ゲイン制御装置は、前記可変ゲイン増幅装置のゲインを変化させる制御に応じて、前記スイッチを制御することにより前記高域通過フィルタの出力を一定期間前記基準電圧に固定し、かつ前記低域通過フィルタを制御することにより前記低域通過フィルタの遮断周波数を一定期間本来の遮断周波数より高くすることを特徴とする受信回路。
【請求項２】
前記ゲイン制御装置は、前記スイッチを制御することにより前記高域通過フィルタの出力を前記基準電圧に固定するのと同時にもしくはそれより一定期間経過後に、前記低域通過フィルタを制御することにより前記低域通過フィルタの遮断周波数を高くし、前記低域通過フィルタの遮断周波数を高くした後一定期間経過して前記可変ゲイン増幅装置のゲインを変化させる制御を行い、前記ゲインを変化させる制御を行った後一定期間経過して前記低域通過フィルタを制御して前記低域通過フィルタの遮断周波数を元の状態に復帰させ、前記低域通過フィルタの遮断周波数を元の状態に復帰させた後一定期間して前記高域通過フィルタの出力を、前記基準電圧への固定状態から解除する請求項１記載の受信回路。
【請求項３】
前記可変ゲイン増幅装置と前記高域通過フィルタと前記低域通過フィルタとは、それぞれ単数もしくは複数個あり、任意の順序および組み合わせで縦続接続されている請求項１または２記載の受信回路。
【請求項４】
受信して得た変調成分を含む高周波信号を、局部発振信号を用いて前記変調信号に周波数変換するミキサを、前記可変ゲイン増幅装置の入力部に備えた請求項１または２に記載の受信回路。
【請求項５】
請求項４に記載の受信回路と、
前記局部発振信号を前記ミキサに与える局部発振信号源と、
前記受信回路から得た変調信号を、適宜信号処理を施して、所定の復調信号を得る復調手段とを備えた受信装置。
【請求項６】
請求項５に記載の受信装置と、
所定の信号を変調し、高周波信号に周波数変換して送出する送信装置と、
前記受信装置の入力に一方の選択端子部が接続され、前記送信装置の出力に他方の選択端子部が接続された信号選択装置とを備えた送受信装置。
【請求項７】
前記信号選択装置がアンテナ切替スイッチである請求項６記載の送受信装置。
【請求項８】
前記信号選択装置がデュプレクサである請求項６記載の送受信装置。
【発明の詳細な説明】
【技術分野】
【０００１】
本発明は、移動体通信に用いるダイレクトコンバージョン方式の受信回路と、それを用いた受信装置および送受信装置に関するものである。
【背景技術】
【０００２】
近年、携帯電話などの移動体通信機器には小型化と低コスト化の要求が高まっている。これらの要求にこたえるために、部品点数を大きく削減することのできるダイレクトコンバージョン方式の受信装置が広く使われるようになっている。
【０００３】
しかし、このダイレクトコンバージョン方式の受信装置に対する課題として、ＤＣオフセット電圧に関する問題がある。ＤＣオフセット電圧は、受信信号の信号処理に用いる増幅器やＡ／Ｄ変換器などのダイナミックレンジを損ない、受信品質を示す尺度であるビットエラーレートを劣化させる要因となっている。このＤＣオフセット電圧を抑圧する手段を有するダイレクトコンバージョン方式の受信装置および受信回路が、既に提案されている。
【０００４】
以下に先行技術におけるダイレクトコンバージョン受信回路について説明する。
【０００５】
図２は先行技術におけるダイレクトコンバージョン方式の受信回路の一例を示すものである。図２において、符号１０１は受信回路を示す。符号１０２は受信回路１０１の出力端子を示す。符号１０４は受信回路１０１の入力端子を示す。符号１０５はミキサを示す。符号１０６は局部発振信号入力端子を示す。符号１０７は可変ゲイン増幅器を示す。符号１０８は低域通過フィルタを示す。符号１０９はコンデンサを示す。符号１１０は抵抗を示す。符号１１１はコンデンサ１０９と抵抗１１０とで構成される高域通過フィルタを示す。符号１１２はゲイン制御装置を示す。符号１１４は高域通過フィルタ１１１における基準電圧源を示す。
【０００６】
また、図５は先行技術における可変ゲイン増幅器のゲイン設定と、受信回路の各部の出力ＤＣ電圧の時間的変化を示すものである。
【０００７】
図５において、波形ａは可変ゲイン増幅器１０７のゲイン設定の時間的変化を示す。このゲイン設定は、時刻ｔ１でゲイン設定がゲインＧ１からゲインＧ２へステップ状に変化している。
【０００８】
波形ｂはミキサ１０５の出力ＤＣ電圧の時間的変化を示す。このミキサ１０５の出力ＤＣ電圧は、ミキサ１０５の出力や可変ゲイン増幅器１０７の入力に存在するＤＣオフセット電圧ＶＯＦＳにより、本来の動作点電圧（破線で示す）よりも高い値となっている。
【０００９】
波形ｃは可変ゲイン増幅器１０７の出力ＤＣ電圧の時間的変化を示す。この可変ゲイン増幅器１０７の出力ＤＣ電圧は、ミキサ１０５の出力ＤＣ電圧におけるＤＣオフセット電圧ＶＯＦＳの存在に起因して、ゲイン設定の変化に応答してステップ状に変化している。なお、破線は、ＤＣオフセット電圧ＶＯＦＳが存在しない場合の可変ゲイン増幅器１０７の出力ＤＣ電圧を示す。
【００１０】
波形ｄは低域通過フィルタ１０８の出力ＤＣ電圧の時間的変化を示す。この低域通過フィルタ１０８の出力ＤＣ電圧は、可変ゲイン増幅器１０７の出力ＤＣ電圧のステップ状の変化に対して、過渡応答波形を示す。なお、破線は、ＤＣオフセット電圧ＶＯＦＳが存在しない場合の低域通過フィルタ１０８の出力ＤＣ電圧を示す。
【００１１】
波形ｅは高域通過フィルタ１１１の出力ＤＣ電圧の時間的変化を示す。この高域通過フィルタ１１１の出力ＤＣ電圧には、低域通過フィルタ１０８の出力ＤＣ電圧の過渡応答が残る。
【００１２】
以上のように構成されたダイレクトコンバージョン方式の受信回路について、以下にその動作を説明する。
【００１３】
ダイレクトコンバージョン方式の受信回路においては、信号入力端子１０４からミキサ１０５へ入力された高周波信号は、局部発振信号入力端子１０６へ入力される局部発振信号を用いてベースバンド信号へ周波数変換されて出力される。ところが、ダイレクトコンバージョン方式では、この高周波信号の搬送波周波数と局部発振信号の発振周波数とが同じ周波数である。そのため、例えば局部発振信号が信号入力端子１０４へ漏洩した場合、この漏洩信号は、局部発振信号と同じ周波数であるから、ミキサ１０５において周波数変換された結果、ＤＣオフセット電圧として出力されることになる。また、可変ゲイン増幅器１０７や低域通過フィルタ１０８などを構成する回路素子の相対的なバラツキによっても、ＤＣオフセット電圧が発生する。
【００１４】
このようにして発生したＤＣオフセット電圧は、コンデンサ１０９と抵抗１１０とによって構成される高域通過フィルタ１１１によって除去することが可能である。また、この高域通過フィルタ１１１の遮断周波数を適切に設定することによって、ベースバンド信号を十分に通過させることが可能である。そのため、受信信号の品質を劣化させずに復調信号を得ることが可能となる（例えば特許文献１参照）。
【特許文献１】特開平１１−２２５１７９号公報
【発明の開示】
【発明が解決しようとする課題】
【００１５】
しかしながら、図２に示す先行技術の構成では、図５の波形ａに示すように、ゲイン制御装置１１２によって可変ゲイン増幅器１０７のゲインをＧ１からＧ２へ変化させたとき、このゲイン変化に応じてＤＣオフセット電圧ＶＯＦＳ（図５の波形ｂ）が、可変ゲイン増幅器１０７の出力ＤＣ電圧においては図５の波形ｃに示すように変化する。
【００１６】
この電圧変化は、低域通過フィルタ１０８によって過渡応答（図５の波形ｄ）を発生させる。この電圧が高域通過フィルタ１１１に入力されるために、高域通過フィルタ１１１の出力では図５の波形ｅに示すような過渡的なＤＣ電圧の変動が発生する。その結果、受信品質の劣化を引き起こすという問題が生ずる。
【００１７】
本発明は、ゲイン設定の変化時における受信品質の低下を避けることが容易に実現できる受信回路と、それを用いた受信装置および送受信装置を提供することを目的とする。
【課題を解決するための手段】
【００１８】
本発明は、可変ゲイン増幅装置のゲインを変化させるときに、可変ゲイン増幅装置と縦続接続された高域通過フィルタの出力を一定期間基準電圧に固定し、かつ可変ゲイン増幅装置および高域通過フィルタと縦続接続された低域通過フィルタの遮断周波数を一定期間本来の遮断周波数より高くすることを最も主要な特徴とする。
【００１９】
この問題を解決するために、本発明の受信回路、それを用いた受信装置および送受信装置は、先行技術の構成に加えて、当該低域通過フィルタが制御信号によって遮断周波数を変化させる機能を備え、また当該高域通過フィルタの出力にスイッチを接続している。そして、当該可変ゲイン増幅装置のゲインを変化させる制御に応じて、前記スイッチを制御して前記高域通過フィルタの出力を一定期間基準電圧に固定し、かつ、前記低域通過フィルタを制御してその遮断周波数を一定期間高くすることを可能とする構成をとる。
【００２０】
この構成によって、ゲインを変化させたときに発生するＤＣ電圧の過渡応答を抑圧することが可能となり、しかも、過渡応答期間を短くすることができ、したがって受信信号の欠落期間を短くすることができ、受信品質の低下を抑えることが可能となる。
【００２１】
以下、具体的に説明する。
【００２２】
本発明の受信回路は、受信した変調信号を増幅する可変ゲイン増幅装置と、可変ゲイン増幅装置に対して縦続接続され、変調信号の低域成分を除去する高域通過フィルタと、高域通過フィルタの出力電圧を基準電圧に固定するスイッチと、可変ゲイン増幅装置および高域通過フィルタの縦続接続回路に対して縦続接続され、遮断周波数を変化させることが可能で、変調信号の高域成分を除去する低域通過フィルタと、可変ゲイン増幅装置、高域通過フィルタおよび低域通過フィルタを通った変調信号の大きさを変化させるために可変ゲイン増幅装置のゲインを変化させるゲイン制御装置とを備えている。
【００２３】
そして、ゲイン制御装置は、可変ゲイン増幅装置のゲインを変化させる制御に応じて、スイッチを制御することにより高域通過フィルタの出力を一定期間基準電圧に固定し、かつ低域通過フィルタを制御することにより低域通過フィルタの遮断周波数を一定期間本来の遮断周波数より高くする。
【００２４】
上記本発明の受信回路においては、ゲイン制御装置は以下のように構成することが好ましい。すなわち、ゲイン制御装置は、スイッチを制御することにより高域通過フィルタの出力を基準電圧に固定するのと同時にもしくはそれより一定期間経過後に、低域通過フィルタを制御することにより低域通過フィルタの遮断周波数を高くし、低域通過フィルタの遮断周波数を高くした後一定期間経過して可変ゲイン増幅装置のゲインを変化させる制御を行い、ゲインを変化させる制御を行った後一定期間経過して低域通過フィルタを制御して低域通過フィルタの遮断周波数を元の状態に復帰させ、低域通過フィルタの遮断周波数を元の状態に復帰させたと同時あるいはそれから一定期間経過の後に高域通過フィルタの出力を、基準電圧への固定状態から解除する。
【００２５】
また、上記本発明の受信回路においては、可変ゲイン増幅装置と高域通過フィルタと低域通過フィルタとは、それぞれ単数もしくは複数個設けられ、任意の順序および組み合わせで縦続接続されている。
【００２６】
また、上記本発明の受信回路においては、受信して得た変調成分を含む高周波信号を、局部発振信号を用いて変調信号に周波数変換するミキサを、可変ゲイン増幅装置の入力部に備えていることが好ましい。
【００２７】
本発明の受信装置は、上記したミキサを備えた受信回路と、局部発振信号をミキサに与える局部発振信号源と、受信回路から得た変調信号を、適宜信号処理を施して、所定の復調信号を得る復調手段とを備えている。
【００２８】
また、本発明の送受信装置は、上記した受信装置と、所定の信号を変調し、高周波信号に周波数変換して送出する送信装置と、受信装置の入力に一方の選択端子部が接続され、送信装置の出力に他方の選択端子部が接続された信号選択装置とを備えている。
【００２９】
上記の送受信装置においては、信号選択装置としては、例えばアンテナ切替スイッチもしくはデュプレクサが用いられる。
【発明の効果】
【００３０】
以上のように本発明によれば、高域通過フィルタの出力にスイッチを設け、可変ゲイン増幅器のゲイン変化に応じて、当該スイッチにより高域通過フィルタの出力を基準電圧に固定し、かつ、低域通過フィルタの遮断周波数を本来の遮断周波数より高くする。これによって、ゲイン変化時に高域通過フィルタの出力に発生するＤＣ電圧の過渡応答の発生を抑圧することができ、しかも、その発生期間を短くすることができ、したがって受信信号の欠落期間を短くできる。結果的に受信品質の良好な優れた受信回路と、これを備えた受信装置および送受信装置を実現することができる。
【発明を実施するための最良の形態】
【００３１】
以下、本発明の実施例を図面を参照しながら説明する。
【００３２】
（第１の実施例）
以下、本発明による受信回路の実施例について図面を参照しながら説明する。図１は本発明による受信回路の実施例における構成の一例を示すものである。図１において、符号１０１は受信回路を示す。符号１０２は受信回路１０１の出力端子を示す。符号１０４は受信回路１０１の入力端子を示す。符号１０５はミキサを示す。符号１０６は局部発振信号入力端子を示す。符号１０７は制御信号に応じてゲインを変える可変ゲイン増幅器を示す。
【００３３】
符号１０８は制御信号に応じて時定数を切り替えることによって遮断周波数を変化させることができる低域通過フィルタを示す。時定数の切り替えは、低域通過フィルタを構成する抵抗もしくはコンデンサの抵抗値をスイッチなどを用いて切り替えることにより実現できる。
【００３４】
符号１０９はコンデンサを示す。符号１１０は抵抗を示す。符号１１１はコンデンサ１０９と抵抗１１０とで構成される高域通過フィルタを示す。
【００３５】
符号１１３はゲイン制御装置１１２から与えられる制御信号に応じて高域通過フィルタ１１１の出力電圧を基準電圧に固定するスイッチを示す。符号１１２は可変ゲイン増幅器１０７、低域通過フィルタ１０８およびスイッチ１１３に制御信号を与えるゲイン制御装置を示す。符号１１４は高域通過フィルタ１１１の基準電圧源を示す。
【００３６】
また、図６は本実施例における可変ゲイン増幅器１０７のゲイン、スイッチ１１３および低域通過フィルタ１０８の遮断周波数の状態と、受信回路の各部のＤＣ電圧の時間的変化を示す説明図である。
【００３７】
図６において、波形ａは可変ゲイン増幅器１０７のゲイン設定の時間的変化を示す。このゲイン設定は、時刻ｔ１でゲイン設定がゲインＧ１からゲインＧ２へステップ状に変化している。
【００３８】
波形ｄは低域通過フィルタ１０８の出力ＤＣ電圧の時間的変化を示す。この低域通過フィルタ１０８の出力ＤＣ電圧は、可変ゲイン増幅器１０７の出力ＤＣ電圧のステップ状の変化に対して、過渡応答波形を示す。なお、破線は、ＤＣオフセット電圧ＶＯＦＳが存在しない場合の低域通過フィルタ１０８の出力ＤＣ電圧を示す。
【００３９】
波形ｆはスイッチ１１３の状態を示す。このスイッチ１１３は、時刻ｔ４でオープン状態からショート状態へ変化し、時刻ｔ２でショート状態からオープン状態へ戻している。
【００４０】
波形ｇは高域通過フィルタ１１１の出力ＤＣ電圧の時間的変化を示す。この高域通過フィルタ１１の出力ＤＣ電圧は、一定の電圧が維持されている。
【００４１】
波形ｈおよびｈ’は可変ゲイン増幅器のゲイン変化に先立って低域通過フィルタ１０８の遮断周波数を一時的に高めることにより改善された低域通過フィルタ１０８の出力ＤＣ電圧の時間的変化を示す。ここで、波形ｈ’を得たときの低域通過フィルタ１０８の遮断周波数の方が、波形ｈを得たときの低域通過フィルタ１０８の遮断周波数より高い。
【００４２】
波形ｋは低域通過フィルタ１０８の遮断周波数の状態のそれぞれの時間的変化を示す。この低域通過フィルタ１０８の遮断周波数は、時刻ｔ５で高められ、時刻ｔ３でもとに戻される。なお、時刻ｔ５は時刻ｔ４と、時刻ｔ３は時刻ｔ２と、それぞれ同時であってもよい。
【００４３】
以上のように構成された受信回路について、以下にその動作を説明する。
【００４４】
図１の構成においても、先行技術と同様にＤＣオフセット電圧は発生し、ゲイン制御装置１１２によって可変ゲイン増幅器１０７のゲインが変化したときに、低域通過フィルタ１０８の出力に過渡応答波形（図６の波形ｄ）が発生することには変わりはない。
【００４５】
ここで、図６の波形ｆに示すように、可変ゲイン増幅器１０７のゲインをゲイン制御装置１１２によって変化させる時刻ｔ１以前の時刻ｔ４から低域通過フィルタ１０８における過渡応答が発生している期間中、スイッチ１１３をショート状態にして高域通過フィルタ１１１の出力を基準電圧源１１４の電圧に固定することで、図６の波形ｇのように高域通過フィルタ１１１の出力でＤＣ電圧の過渡応答が発生することを抑えることができる。
【００４６】
しかし、スイッチ１１３をショート状態にして基準電圧源１１４の電圧に固定するということは、受信信号を遮断することになるので、受信品質を良好に保つためにはこのショート状態の期間を短縮することが望ましい。
【００４７】
低域通過フィルタ１０８の過渡応答の発生期間は、遮断周波数に依存しており、遮断周波数を大きくすると過渡応答の発生期間は、図６の波形ｈまたはｈ’のように元の発生期間よりも短くなる。そこで、時刻ｔ１以前にスイッチ１１３をショート状態にし、かつ、低域通過フィルタ１０８の遮断周波数を十分に高くする。そして、低域通過フィルタ１０８が定常状態に落ち着いた後の時刻ｔ３に遮断周波数を元に戻し、その後の時刻ｔ２にスイッチ１１３を元のオープン状態に戻す。こうすることによって受信信号の遮断期間を短縮しても高域通過フィルタ１１１の出力でのＤＣ電圧の過渡応答の発生を抑圧することが可能になり、受信品質を良好に保つことが可能になる。
【００４８】
以上のように、本実施例における受信回路によれば、可変ゲイン増幅器１０７のゲインをゲイン制御装置１１２によって変化させることに応じて、高域通過フィルタ１１１の出力をスイッチ１１３によって基準電圧源１１４の電圧に固定し、かつ低域通過フィルタ１０８の遮断周波数を高くする。これによって、ゲイン変化時に高域通過フィルタ１１１の出力に発生するＤＣ電圧の過渡応答信号を抑圧することができるようになる。その結果、受信信号の品質を良好に保つことが可能になる。
【００４９】
また、上記の実施例では、可変ゲイン増幅器１０７、低域通過フィルタ１０８および高域通過フィルタ１１１がそれぞれひとつずつ接続された状態を示したが、本発明においては、可変ゲイン増幅器１０７と低域通過フィルタ１０８の接続の順番を入れ替えることも可能である。すなわち、上記の実施の形態では、可変ゲイン増幅器、低域通過フィルタ、高域通過フィルタの順に接続されていたが、可変ゲイン増幅器、高域通過フィルタ、低域通過フィルタの順に接続されていてもよく、さらに低域通過フィルタ、可変ゲイン増幅器、高域通過フィルタの順に接続されていてもよい。また、これらの組み合わせを複数個、縦続接続した場合においても同様の効果を得ることができる。
【００５０】
（第２の実施例）
次に本発明による実施例２について図面を参照しながら説明する。図３は本発明による受信装置の実施例における構成の一例を示す回路図である。図３において、符号１０１は上記実施例１にかかる受信回路を示す。符号１０２は受信回路１０１の出力端子を示す。符号１０４は受信回路１０４の入力端子を示す。符号１０６は局部発振信号入力端子を示す。符号２０１は局部発振信号源を示す。符号２０２は復調信号処理回路を示す。符号２０３はこれらの構成要素によって構成される受信装置を示す。符号２０４は受信装置２０３の入力端子を示す。
【００５１】
以上のように構成された受信装置について、以下にその動作を説明する。
【００５２】
入力端子２０４に入力された高周波信号は局部発振信号源２０１で発生する局部発振信号によって、受信回路１０１内部でベースバンド帯域の変調信号に周波数変換される。
【００５３】
受信回路１０１においてゲインを変化させたときに発生するＤＣ電圧の過渡応答を抑える方法については上記実施例１において説明したとおりである。
【００５４】
受信回路１０１内部で適当なレベルにされて出力端子１０２に出力された変調信号は、復調信号処理回路２０２によって適宜信号処理を施され、所定の復調信号を得ることが可能になる。
【００５５】
（第３の実施例）
次に本発明による実施例３について図面を参照しながら説明する。図４は本発明による送受信装置の実施例における構成の一例を示す回路図である。図４において、符号２０３は上記実施例２にかかる受信装置を示す。符号２０４は受信装置２０３の入力端子を示す。符号２０５は送信装置を示す。符号２０６は送信装置２０５の出力端子を示す。符号２０７はデュプレクサを示す。符号２０８はこれらの構成要素によって構成された送受信装置を示す。符号２０９は送受信装置の端子を示す。
【００５６】
以上のように構成された送受信装置について、以下にその動作を説明する。
【００５７】
端子２０９より入力された高周波信号は、デュプレクサ２０７によって入力端子２０４のみへ選択的に出力される。入力端子２０４から受信装置２０３に入力された高周波信号から所定の復調信号を得る方法、およびＤＣ出力の過渡応答を抑える方法は実施例２において説明したとおりである。
【００５８】
送信装置２０５によって適当な信号処理をされた高周波信号は出力端子２０６を経てデュプレクサ２０７へ入力され、端子２０９よりへ選択的に出力される。なお、デュプレクサ２０７の共通端子は、例えばアンテナに接続される。
【００５９】
以上のような構成によって、精度のよい送受信装置を実現することが可能になる。
【００６０】
なお、上記説明ではデュプレクサ２０７を用いる場合について説明したが、使用するシステムによってはこれをアンテナ切替スイッチに置き換えることが可能である。
【産業上の利用可能性】
【００６１】
以上のように本発明によれば、高域通過フィルタの出力にスイッチを設け、可変ゲイン増幅器のゲイン変化に応じて、当該スイッチを基準電圧に固定し、かつ、低域通過フィルタの遮断周波数を変化させることによって、ゲイン変化時に高域通過フィルタの出力に発生するＤＣ電圧の過渡応答の発生を抑圧することができる。したがって、受信品質の良好な優れた受信回路、これを備えた受信装置およびこの受信装置を構成要素とする送受信装置を実現することができる。
【図面の簡単な説明】
【００６２】
【図１】本発明の実施例１における受信回路の一部の構成を示す回路図である。
【図２】先行技術における受信回路の一部の構成を示す回路図である。
【図３】本発明の実施例２における受信装置の構成を示す回路図である。
【図４】本発明の実施例３における送受信装置の構成を示す回路図である。
【図５】先行技術における、ゲイン変化時の受信回路の各部の出力ＤＣ電圧の変化を示す模式図である。
【図６】本発明の実施例１における、ゲイン変化時の受信回路の各部のＤＣ出力電圧の変化を示す模式図である。
【符号の説明】
【００６３】
１０１  受信回路
１０２  受信回路１０１の出力端子
１０４  受信回路１０１の入力端子
１０５  ミキサ
１０６  局部発振信号入力端子
１０７  可変ゲイン増幅器
１０８  低域通過フィルタ
１０９  コンデンサ
１１０  抵抗
１１１  高域通過フィルタ
１１２  ゲイン制御装置
１１３  スイッチ
１１４  基準電圧源
２０１  局部発振信号源
２０２  復調信号処理回路
２０３  受信装置
２０４  受信装置２０３の入力端子
２０５  送信装置
２０６  送信装置２０５の出力端子
２０７  デュプレクサ
２０８  送受信装置
２０９  送受信装置２０８の端子
ａ  ゲイン制御装置１１２によって決定されるゲインの変化波形
ｂ  ミキサ１０５の出力あるいは可変ゲイン増幅器１０７の入力に発生するＤＣオフセット電圧を示す波形
ｃ  可変ゲイン増幅器１０７の出力におけるＤＣ電圧の変化を示す波形
ｄ  低域通過フィルタ１０８の出力におけるＤＣ電圧の変動を示す波形
ｅ  先行技術における高域通過フィルタ１１１の出力におけるＤＣ電圧の変動を示す波形
ｆ  実施例１におけるスイッチの状態の一例を示す波形
ｇ  実施例１における高域通過フィルタ１１１の出力におけるＤＣ電圧を示す波形
ｈ  実施例１における低域通過フィルタ１０８の遮断周波数を大きくした場合の効果を示す波形
ｈ’  実施例１における低域通過フィルタ１０８の遮断周波数をさらに大きくした場合の効果を示す波形
ｋ  実施例１における低域通過フィルタ１０８の遮断周波数の状態を示す波形
ｔ１  実施例１における可変ゲイン増幅器１０７のゲインを変化させた時刻
ｔ２  実施例１におけるスイッチ１１３の状態を元のオープン状態に戻した時刻
ｔ３  実施例１における低域通過フィルタ１０８の遮断周波数を元に戻した時刻
ｔ４  実施例におけるスイッチ１１３の状態をショート状態に変化させた時刻
ｔ５  実施例における低域通過フィルタ１０８の遮断周波数を高めた時刻
【図１】
0004468359.tif 000002
【図２】
0004468359.tif 000003
【図３】
0004468359.tif 000004
【図４】
0004468359.tif 000005
【図５】
0004468359.tif 000006
【図６】
0004468359.tif 000007